(57)【要約】【課題】外部モニタ機器に対して、ＧＵＩの提供を最適化することができる映像出力装置を提供する。【解決手段】外部モニタと通信可能に接続された映像出力装置であって、外部モニタの画面情報に対応付けられ、ＧＵＩ（Ｇｒａｐｈｉｃａｌ  Ｕｓｅｒ  Ｉｎｔｅｒｆａｃｅ）部品で構成されるＧＵＩの形態を示すＧＵＩテーブルを格納する格納部と、外部モニタの画面情報を取得する画面情報取得部と、画面情報取得部で取得した画面情報に基づいて、格納部に格納されたＧＵＩテーブルを参照し、外部モニタに表示されるＧＵＩの形態を決定するＧＵＩ決定部と、ＧＵＩ決定部で決定したＧＵＩの形態の決定情報に基づいて、ＧＵＩデータを生成するＧＵＩ生成部と、ＧＵＩ生成部で生成したＧＵＩデータを前記外部モニタに出力する出力部とを備える。【選択図】図１
2007251233.tif 000002
【特許請求の範囲】
【請求項１】
外部モニタと通信可能に接続された映像出力装置であって、
前記外部モニタの画面情報に対応付けられ、ＧＵＩ（Ｇｒａｐｈｉｃａｌ  Ｕｓｅｒ  Ｉｎｔｅｒｆａｃｅ）部品で構成されるＧＵＩの形態を示すＧＵＩテーブルを格納する格納部と、
前記外部モニタの画面情報を取得する画面情報取得部と、
前記画面情報取得部で取得した画面情報に基づいて、前記格納部に格納されたＧＵＩテーブルを参照し、前記外部モニタに表示されるＧＵＩの形態を決定するＧＵＩ決定部と、
前記ＧＵＩ決定部で決定したＧＵＩの形態の決定情報に基づいて、ＧＵＩデータを生成するＧＵＩ生成部と、
前記ＧＵＩ生成部で生成したＧＵＩデータを前記外部モニタに出力する出力部とを備える、映像出力装置。
【請求項２】
前記ＧＵＩ決定部は、前記画面情報取得部で取得した画面情報に基づいて、前記格納部に格納されたＧＵＩテーブルを参照し、前記ＧＵＩのサイズを決定することを特徴とする、請求項１に記載の映像出力装置。
【請求項３】
前記ＧＵＩ決定部は、前記画面情報取得部で取得した画面情報に基づいて、前記格納部に格納されたＧＵＩテーブルを参照し、文字からなるＧＵＩ部品を当該文字に対応する所定のアイコンからなるＧＵＩ部品に変換することを特徴とする、請求項１に記載の映像出力装置。
【請求項４】
前記ＧＵＩ決定部は、前記画面情報取得部で取得した画面情報に基づいて、前記格納部に格納されたＧＵＩテーブルを参照し、文字からなる前記ＧＵＩ部品を当該文字と当該文字に対応する所定のアイコンとからなるＧＵＩ部品に変換することを特徴とする、請求項１に記載の映像出力装置。
【請求項５】
前記ＧＵＩ決定部は、前記画面情報取得部で取得した画面情報に基づいて、前記格納部に格納されたＧＵＩテーブルを参照し、前記ＧＵＩ部品のフォントサイズを所定のフォントサイズに変換することを特徴とする、請求項１に記載の映像出力装置。
【請求項６】
前記画面情報取得部で取得した画面情報に基づいて、前記格納部に格納されたＧＵＩテーブルを参照し、前記ＧＵＩの操作性を決定することを特徴とする、請求項１に記載の映像出力装置。
【請求項７】
前記画面情報取得部で取得した画面情報に基づいて、前記外部モニタの表示形態を複数画面表示状態から１画面表示状態に変更する外部モニタ制御部を更に備える、請求項１〜６のいずれかに記載の映像出力装置。
【発明の詳細な説明】
【技術分野】
【０００１】
本発明は、映像出力装置に関し、より特定的には、外部モニタ機器に対して、ＧＵＩ（Ｇｒａｐｈｉｃａｌ  Ｕｓｅｒ  Ｉｎｔｅｒｆａｃｅ）の提供を最適化することができる映像出力装置に関する。
【背景技術】
【０００２】
ＳＴＢ（Ｓｅｔ  Ｔｏｐ  Ｂｏｘ）や録画機器などのＡＶ関連機器では、受信及び／又は録画した映像を表示するために外部モニタ機器を必要とする。通常、家庭内では、テレビが外部モニタ機器の役割を担う場合がほとんどであるが、テレビと言ってもその画面サイズや解像度などの性能は様々である。更には、近年のテレビ機能として、画面を分割して一度に複数画面を表示する事が可能であり、１つのテレビにおいても、大きな画面の場合もあれば、小さな画面の場合も存在しうる。
【０００３】
一方で、ＳＴＢや録画機器などでは映像を出力するだけでなく、映像に関する様々な情報表示を提示したり、幾つもの機能の切り替えを行うためのメニューを表示したりするといったＧＵＩの提供、例えば、ＯＳＤ（Ｏｎ  Ｓｃｒｅｅｎ  Ｄｉｓｐｌａｙ）表示も必要である。
【０００４】
しかしながら、小さな画面では十分な情報伝達が実施できないという状況が発生する。実際、ＯＳＤ表示に使われる文字の大きさは、モニタ画面の大きさに大きな影響を受けるものの、ある程度一般的な画面の大きさに的を絞って決定される他ない。
【０００５】
外部モニタ機器に対する映像の出力において、特開２００２−２３２８０２号公報が開示するものは、文字スーパー表示に関する技術、すなわち、２画面時には、文字サイズを大きくして、視聴者に見易い表示を提供する技術を開示している。特開２００３−２３５０３０号公報は、動画表示に関する技術、すなわち、表示領域に応じた品質の画像表示を行う技術を開示している。
【０００６】
このように、従来は、外部モニタ機器に対して映像を出力する場合に、文字スーパー表示や動画表示の場合については、表示領域に応じた最適な表示を行うことができるが、ＧＵＩの提供、特に、ＯＳＤ表示については、表示領域に応じた最適な表示を行うことができない。
【特許文献１】特開２００２−２３２８０２号公報
【特許文献２】特開２００３−２３５０３０号公報
【発明の開示】
【発明が解決しようとする課題】
【０００７】
本発明は、上記問題に鑑みてなされた。すなわち、外部モニタ機器に対して、ＧＵＩの提供を最適化することができる映像出力装置を提供することを目的とする。
【課題を解決するための手段】
【０００８】
本発明の局面は、外部モニタと通信可能に接続された映像出力装置に向けられている。本発明は、外部モニタの画面情報に対応付けられ、ＧＵＩ（Ｇｒａｐｈｉｃａｌ  Ｕｓｅｒ  Ｉｎｔｅｒｆａｃｅ）部品で構成されるＧＵＩの形態を示すＧＵＩテーブルを格納する格納部と、外部モニタの画面情報を取得する画面情報取得部と、画面情報取得部で取得した画面情報に基づいて、格納部に格納されたＧＵＩテーブルを参照し、外部モニタに表示されるＧＵＩの形態を決定するＧＵＩ決定部と、ＧＵＩ決定部で決定したＧＵＩの形態の決定情報に基づいて、ＧＵＩデータを生成するＧＵＩ生成部と、ＧＵＩ生成部で生成したＧＵＩデータを外部モニタに出力する出力部とを備える。
【０００９】
また、ＧＵＩ決定部は、前記画面情報取得部で取得した画面情報に基づいて、格納部に格納されたＧＵＩテーブルを参照し、ＧＵＩのサイズを決定することが好ましい。
【００１０】
また、ＧＵＩ決定部は、画面情報取得部で取得した画面情報に基づいて、格納部に格納されたＧＵＩテーブルを参照し、文字からなるＧＵＩ部品を当該文字に対応する所定のアイコンからなるＧＵＩ部品に変換することが好ましい。
【００１１】
また、ＧＵＩ決定部は、画面情報取得部で取得した画面情報に基づいて、格納部に格納されたＧＵＩテーブルを参照し、文字からなる前記ＧＵＩ部品を当該文字と当該文字に対応する所定のアイコンとからなるＧＵＩ部品に変換することが好ましい。
【００１２】
また、ＧＵＩ決定部は、画面情報取得部で取得した画面情報に基づいて、格納部に格納されたＧＵＩテーブルを参照し、ＧＵＩ部品のフォントサイズを所定のフォントサイズに変換することが好ましい。
【００１３】
また、画面情報取得部で取得した画面情報に基づいて、格納部に格納されたＧＵＩテーブルを参照し、ＧＵＩの操作性を決定することが好ましい。
【００１４】
また、画面情報取得部で取得した画面情報に基づいて、外部モニタの表示形態を複数画面表示状態から１画面表示状態に変更する外部モニタ制御部を更に備えることが好ましい。
【発明の効果】
【００１５】
以上のように、本発明の局面によれば、外部モニタ機器に対して、ＧＵＩの提供を最適化することができる映像出力装置を提供することができる。
【発明を実施するための最良の形態】
【００１６】
（実施の形態）
以下、本発明の実施の形態に係る映像出力装置について、図面を参照しながら説明する。
【００１７】
図１は、本発明の実施の形態に係る映像出力装置の全体構成を示すブロック図である。図１において、映像出力装置１００は、受信部１１０、ＡＶデコード部１２０、通信部１３０、ＧＵＩ決定部１４０、ＧＵＩ生成部１５０、外部モニタ制御部１６０、出力部１７０を備えており、外部モニタ１８０と通信可能に接続されている。
【００１８】
受信部１１０は、アンテナを介して、放送波を受信する。ＡＶデコード部１２０は、受信部１１０で受信し、復調された信号を映像及び音声データに変換する。通信部１３０は、外部モニタ１８０から常に伝達される画面情報を取得する。この画面情報は、外部モニタ１８０の画面のインチサイズ等の情報である。なお、画面情報は、外部モニタ１８０の表示領域の大きさを表す情報であればよく、画面のインチサイズの情報に限られない。
【００１９】
ＧＵＩ決定部１４０は、通信部１３０で取得した画面情報に基づいて、外部モニタ１８０に表示されるＯＳＤの形態を決定する。ＧＵＩ生成部１５０は、ＧＵＩ決定部で決定したＯＳＤの形態の決定情報に基づいて、ＯＳＤデータを生成する。
【００２０】
外部モニタ制御部１６０は、通信部１３０で取得した画面情報に基づいて、外部モニタ１８０をコマンドによって制御する。出力部１７０は、ＡＶデコード部１２０で生成した映像及び音声データとＧＵＩ生成部１５０で生成したＯＳＤデータとを合成し、合成したデータを外部モニタ１８０に出力する。
【００２１】
このように、合成したデータが外部モニタ１８０に出力されることで、外部モニタ１８０の画面上には、映像とＯＳＤが重畳表示される。
【００２２】
また、ＧＵＩ決定部１４０は、ＧＵＩサイズ決定部１４１、アイコン変換部１４２、文字フォント変換部１４３、操作性決定部１４４及び格納部１４５を備えている。
【００２３】
ＧＵＩサイズ決定部１４１は、外部モニタ１８０に表示されるＯＳＤ全体のサイズを決定する。アイコン変換部１４２は、文字からなるＯＳＤ部品をアイコンからなるＯＳＤ部品に変換する。文字フォント変換部１４３は、文字からなるＯＳＤ部品のフォントサイズを変換する。操作性決定部１４４は、操作性を決定する。この操作性の決定とは、例えば、左右方向にしか操作できないものを上下左右方向に操作できるように決定することである。格納部１４５は、画面情報に対応付けられたＯＳＤの形態を示すＯＳＤ決定テーブルを格納している。
【００２４】
次に、このように構成された本発明の実施の形態に係る映像出力装置１００の動作について、図２のフロー図を用いて説明する。
【００２５】
映像出力装置１００と外部モニタ１８０とは互いに通信することが可能であり、外部モニタ１８０からは、現在、映像出力装置１００が利用している画面情報が常に伝達される。この画面情報を通信部１３０が取得する（ステップＳ２０１）。このとき、ＧＵＩ決定部１４０は、画面インチサイズを判定する（ステップＳ２０２）。
【００２６】
ＧＵＩ決定部１４０は、判定した画面インチサイズに基づいて、格納部１４５に格納された、図３に示すＯＳＤ決定テーブル３００を参照し、ＯＳＤの形態を決定する（ステップＳ２０３）。
【００２７】
例えば、ＧＵＩ決定部１４０が１４インチサイズ以下であると判定した場合、図４の（Ａ）から（Ｂ）に示すように、ＧＵＩサイズ決定部１４１は、初期のＯＳＤサイズを所定の大サイズまで大きくする。更に、アイコン変換部１４２は、文字からなるＯＳＤ部品を、当該文字に対応する所定の大サイズまで大きくしたアイコンからなるＯＳＤ部品に変換する。また、文字フォント変換部１４３は、本例の場合機能しない。更に、操作性決定部１４４は、操作性をページ切替操作に決定する。なお、この場合、ユーザは、上下キーでページを切替えて、アイコンを選択することとなる。
【００２８】
また、例えば、ＧＵＩ決定部１４０が１５〜１９インチサイズであると判定した場合、図５の（Ａ）から（Ｂ）に示すように、ＧＵＩサイズ決定部１４１は、初期のＯＳＤサイズを所定の大サイズまで大きくする。更に、アイコン変換部１４２は、文字からなるＯＳＤ部品を、当該文字に対応する所定の小サイズにしたアイコンからなるＯＳＤ部品に変換する。加えて、文字フォント変換部１４３は、文字からなるＯＳＤ部品を、２４ｄｏtのサイズまで大きくした当該文字の略式文字からなるＯＳＤ部品に変換する。更に、操作性決定部１４４は、操作性を上下左右操作に決定する。なお、この場合、ユーザは、上下左右キーで、アイコンを選択することとなる。
【００２９】
また、例えば、ＧＵＩ決定部１４０が２０〜２９インチサイズであると判定した場合、図６の（Ａ）から（Ｂ）に示すように、ＧＵＩサイズ決定部１４１は、初期のＯＳＤサイズを所定の中サイズにする。アイコン変換部１４２は、本例の場合機能しない。また、文字フォント変換部１４３は、文字からなるＯＳＤ部品を、１８ｄｏtのサイズにした文字からなるＯＳＤ部品に変換する。更に、操作性決定部１４４は、操作性を左右操作に決定する。なお、この場合、ユーザは、左右キーのみで、文字を選択することとなる。
【００３０】
また、例えば、ＧＵＩ決定部１４０が２９インチサイズ以上であると判定した場合、図７の（Ａ）から（Ｂ）に示すように、ＧＵＩサイズ決定部１４１は、初期のＯＳＤサイズを所定の小サイズにする。アイコン変換部１４２は、本例の場合機能しない。また、文字フォント変換部１４３は、文字からなるＯＳＤ部品を、１８ｄｏtのサイズにした文字からなるＯＳＤ部品に変換する。更に、操作性決定部１４４は、操作性を左右操作に決定する。なお、この場合、ＧＵＩ決定部１４０は、文字からなるＯＳＤ部品を外部モニタ１８０の画面端に一列に表示されるように配置する。このとき、ユーザは、左右キーのみで、文字を選択することとなる。
【００３１】
なお、ＧＵＩ決定部１４０は、画面情報に基づいて、文字からなるＧＵＩ部品のフォントサイズを決定する構成としてもよい。例えば、画面のインチサイズが小さいほど、文字からなるＯＳＤ部品のフォントサイズを大きくなるように決定してもよい。
【００３２】
上述のように、ＯＳＤの形態が決定されると、ＧＵＩ生成部１５０は、ＯＳＤの形態の決定情報に基づいて、ＯＳＤデータを生成する（ステップＳ２０４）。出力部１７０は、ＡＶデコード部１２０で生成した映像及び音声データとＧＵＩ生成部１５０で生成したＯＳＤデータとを合成し、合成したデータを外部モニタ１８０に出力する（ステップＳ２０５）。この出力の後、外部モニタ１８０の画面上には、映像とＯＳＤが重畳表示される。
【００３３】
このように、表示領域（画面サイズ）が狭い場合には、表示領域を十分利用した大きなＯＳＤ表示にしたり、文字数を少なくしたりする処理を行う。また、文字を使わず、アイコンを主体としたＯＳＤ表示に切り替える。更に、表示領域（画面サイズ）が十分大きく文字サイズを小さく表示できる場合、できるだけ映像を隠さないで済む表示形式に切り替える。また、表示領域（画面サイズ）により、例えば４つのメニューを選択する方法を上下キーだけでなく、左右キーも使ったインターフェースに切り替えることにより、画面を有効に利用できるようにする。すなわち、外部モニタ機器に対して、ＧＵＩの提供を最適化することができる映像出力装置を提供することができる。
【００３４】
なお、外部モニタ制御部１６０は、通信部１３０で取得した画面情報に基づいて、例えば、２画面表示状態でＯＳＤやＥＰＧ起動キーが押下された場合に、強制的に全画面表示状態になるコマンドを外部モニタ１８０に送出し、制御する。
【００３５】
また、上記の全画面表示機能を一時的なものとし、ＥＰＧなどのＧＵＩの表示が終了するときには、最初の画面構成に戻せるようなコマンドを定義しておくことで、更に使い勝手のよい外部モニタ１８０の制御を行うことができる。
【００３６】
また、この外部モニタ制御部１６０の制御機能については、上記の機能以外にも、映像出力装置１００と共に、それ以外の複数の出力装置等が外部モニタ１８０に接続されている場合、映像出力装置１００が操作されたことを検知して、映像出力装置１００からの出力に切替えて表示させてもよいし、映像出力装置１００の電源を切る操作をトリガーにして、外部モニタ１８０の表示形態を、例えば、２画面表示状態なら、１画面表示状態に戻してもよい。
【００３７】
なお、所定のルールの下に、ＯＳＤの形態が決定される構成としてもよい。例えば、ＯＳＤのサイズを人が認識できる最低限度の大きさに決定するルールに基づいて、ＯＳＤの形態が決定される構成としてもよいし、アイコンよりも文字による表示を優先するルールに基づいて、ＯＳＤの形態が決定される構成としてもよい。
【００３８】
上記実施の形態で説明した構成は、単に具体例を示すものであり、本願発明の技術的範囲を制限するものではない。本願の効果を奏する範囲において、任意の構成を採用することが可能である。
【産業上の利用可能性】
【００３９】
本発明の映像出力装置は、ＳＴＢ（Ｓｅｔ  Ｔｏｐ  Ｂｏｘ）や録画機器などのＡＶ関連機器として有用である。すなわち、これまで固定的であったＧＵＩの提供を外部モニタに応じて柔軟に実現できるという効果を有するという点で有用である。
【図面の簡単な説明】
【００４０】
【図１】本発明の実施の形態に係る映像出力装置の全体構成を示すブロック図
【図２】本発明の実施の形態に係る映像出力装置において、外部モニタの画面情報を取得してからＯＳＤデータを出力するまでの動作を示すフロー図
【図３】ＯＳＤ決定テーブルの一例を示す図
【図４】ＯＳＤの表示例を示す図
【図５】ＯＳＤの表示例を示す図
【図６】ＯＳＤの表示例を示す図
【図７】ＯＳＤの表示例を示す図
【符号の説明】
【００４１】
１００  映像出力装置
１１０  受信部
１２０  ＡＶデコード部
１３０  通信部
１４０  ＧＵＩ決定部
１４１  ＧＵＩサイズ決定部
１４２  アイコン変換部
１４３  文字フォント変換部
１４４  操作性決定部
１４５  格納部
１５０  ＧＵＩ生成部
１６０  外部モニタ制御部
１７０  出力部
１８０  外部モニタ
【図１】
2007251233.tif 000003
【図２】
2007251233.tif 000004
【図３】
2007251233.tif 000005
【図４】
2007251233.tif 000006
【図５】
2007251233.tif 000007
【図６】
2007251233.tif 000008
【図７】
2007251233.tif 000009